(57)【特許請求の範囲】
【請求項１】
車両前部のダッシュパネルまたはフロアパネルに取り付けられ、フロアカーペットに覆われている車両用フットレスト構造において、
前記フットレストの車両下面における車両前後方向の中間部には、車幅方向に貫通している凹形状の段部が設けられており、
前記フットレストが前記ダッシュパネルまたは前記フロアパネルに取り付けられている状態で、前記車両下面に対して前記段部の上段となる基準面が形成され、該基準面には、車両上方に凹む薄肉部が設けられていることを特徴とする車両用フットレスト構造。
【請求項２】
前記薄肉部よりも車両前側には、前記ダッシュパネルまたは前記フロアパネルに前記フットレストを取り付けるための取付部が設けられていることを特徴とする請求項１に記載の車両用フットレスト構造。
【請求項３】
前記薄肉部の車幅方向両側の前記基準面には、前記フットレストの車幅方向側端から前記薄肉部に向かって延びる下溝が形成されていることを特徴とする請求項１または請求項２に記載の車両用フットレスト構造。
【請求項４】
前記車両上面には、前記下溝の車両前後方向位置に対応する位置に、前記フットレストの車幅方向両側端を繋ぐように延びる上溝が形成されていることを特徴とする請求項３に記載の車両用フットレスト構造。
【請求項５】
前記フットレストは、発砲材により形成されており、
前記段部よりも車両前部における発砲倍率と、前記段部よりも車両後部における発砲倍率とは、互いに異なるように形成されていることを特徴とする請求項１ないし請求項４のいずれか一項に記載の車両用フットレスト構造。
【請求項６】
前記フットレストは、発砲材により形成されており、
前記上溝及び前記下溝の車両前後方向位置を基準位置としたときに、該基準位置の車両前部と車両後部とで発砲倍率が異なるように形成されていることを特徴とする請求項４に記載の車両用フットレスト構造。
【発明の詳細な説明】
【技術分野】
【０００１】
本発明は、車体に取り付けられた車両用のフットレスト構造に関する。
【背景技術】
【０００２】
車両の運転席の足元部に、フットレストが設けられている車種がある。フットレストは、ドライバがシートに着座した状態で、運転時にあまり使用しない方のドライバの足（例えば左足）を、楽な状態で載せるための部材である。
【０００３】
フットレストは、車体の例えばダッシュパネルの下部や、フロアパネル等に取り付けられているものがある。また、当該フットレストには、ドライバの足が載せられる載置部が設けられており、該載置部は、車体のフロアパネルの上面に対して所定角度で傾斜している。
【０００４】
例えば、車両衝突時にダッシュパネルが変形する場合、ドライバや助手席の乗員の安全を確保する必要がある。特に、ダッシュパネルと乗員との接触を防ぐことが重要となる。例えば、特許文献１に開示されているように、衝突時に足がパネルと接触しないように、つま先の前方に凸形状を設け、足がパネルに接触しないように規制する技術が知られている。
【先行技術文献】
【特許文献】
【０００５】
【特許文献１】特開２０１４−０６１７８３号公報
【発明の概要】
【発明が解決しようとする課題】
【０００６】
ところが、上記例のように、つま先の前方に足の動きを止めるための凸形状（凸段差）を設けるには、部品形状を車両前方向に大きくする必要がある。これは、部品重量増加や部品コストの増加につながるという問題がある。また、つま先前方に凸形状を設定する他に、踵部に大きな凹段差を設ける方法も考えられるが、この場合、通常使用時の快適性が悪くなる可能性がある。
【０００７】
本発明は上記課題を解決するためになされたものであって、その目的は、通常使用時の快適性の悪化や部品を大型化させることなく、車両の衝突時に乗員の足の動きを規制し、乗員の安全性を確保できるフットレス構造を提供することである。
【課題を解決するための手段】
【０００８】
上記目的を達成するため本発明に係る車両用フットレスト構造は、車両前部のダッシュパネルまたはフロアパネルに取り付けられ、フロアカーペットに覆われている。当該フットレスト構造は、前記フットレストの車両下面における車両前後方向の中間部には、車幅方向に貫通する凹形状の段部が設けられており、前記フットレストが前記ダッシュパネルまたは前記フロアパネルに取り付けられている状態で、前記車両下面に対して前記段部の上段となる基準面が形成されており、該基準面には、車両上方に凹む薄肉部が設けられている。
【０００９】
また、本発明に係る車両用フットレスト構造の一態様では、前記薄肉部よりも車両前側には、前記ダッシュパネルまたは前記フロアパネルに前記フットレストを取り付けるための取付部が設けられている。
【００１０】
また、本発明に係る車両用フットレスト構造の一態様では、前記薄肉部の車幅方向両側の前記基準面には、前記フットレストの車幅方向側端から前記薄肉部に向かって延びる下溝が形成されている。
【００１１】
また、本発明に係る車両用フットレスト構造の一態様では、前記車両上面には、前記下溝の車両前後方向位置に対応する位置に、前記フットレストの車幅方向両側端を繋ぐように延びる上溝が形成されている。
【００１２】
また、本発明に係る車両用フットレスト構造の一態様では、前記フットレストは、発砲材により形成されており、前記段部よりも車両前部における発砲倍率と、前記段部よりも車両後部における発砲倍率とは、互いに異なるように形成されている。
【００１３】
また、本発明に係る車両用フットレスト構造の一態様では、前記フットレストは、発砲材により形成されており、前記上溝及び前記下溝の車両前後方向位置を基準位置としたときに、該基準位置の車両前部と車両後部とで発砲倍率が異なるように形成されている。
【発明の効果】
【００１４】
本発明によれば、段部を設けていることにより、車両に固定された状態のフットレストの車両下面における中間部が、ダッシュパネル面（またはフロアパネルの面）から浮いた状態となり、フットレストの下面とダッシュパネル等の面との間に空間（間隙）を生じさせることができ、フットレストが薄肉部で車両前後に破断したときに、後側破断片が、段部を起点の車両前側に下がり、破断部に段差を生じさせることができる。その結果、この段差に靴の踵が引っ掛ることができ、足が車両前方に移動するのを防ぐことが可能となる。
【００１５】
また、本発明の一態様によれば、段部の前側に取付部を設けているため、上記のような破断が生じたときに、前側破断片は回転せずに姿勢を留めることができる。一方、後側破断片には取付部がないため、後側破断片は、段部を起点に車両前方に回転し、後側破断片の前端が、前側破断片に対して下がり、前側破断片及び後側破断片において、前側破断片が後側破断片よりも確実に高くなる段差を生じさせることができる。また、踵が引っかかったときに、前側破断片によって足が動くのを確実に阻止できるため、足が車両前方に移動するのを規制する効果を高めることができる。
【００１６】
また、本発明の一態様によれば、下溝を設けることで、薄肉部において、下溝を境に破断させることができるため、狙った箇所で破断させることが可能となる。
【００１７】
また、本発明の一態様によれば、下溝と共に上溝を設けることで、フットレストの車両上下方向にわたって、真っ直ぐな破断面を形成させることができる。
【００１８】
また、本発明の一態様によれば、発砲倍率に上記のように設定することにより、例えば後側破断片の材質の密度を低くすることができ、後側を変形しやすくなる。これにより、破断の発生を確実に生じさせることができる。また、発泡倍率を段部の前後で変えることにより、硬度の異なる境界線での破断が生じやすくなる。また、靴の踵が沈み込みやすくなるため、踵がフットレストの後方に止まりやすくなり、段差が発生した時に、段差よりも車両後方に踵を確実に位置させて、足が車両前方に滑り出そうとするときに、踵を段差に引っ掛かりやすくすることができる。
【００１９】
また、本発明の一態様によれば、発砲倍率が異なることによる効果と、溝の脆弱効果とで相乗効果をもたらし、破断の位置をコントロールすることが可能となる。
【図面の簡単な説明】
【００２０】
【図１】本発明に係る車両用フットレスト構造が設けられた車両前部の分解斜視図である。
【図２】図１のフットレスト構造の側断面図であって、フットレストの車幅方向中央における縦断面図である。
【図３】図１のフットレストを車両下方から見たときの斜視図である。
【図４】図２のダッシュパネルが変形し、フットレストが破断した状態を示す側断面図である。
【発明を実施するための形態】
【００２１】
以下、本発明に係る車両用フットレスト構造の一実施形態について、図面（図１〜図４）を参照しながら説明する。
【００２２】
本実施形態の車両用フットレスト構造は、図１に示すように、ダッシュパネル１０にフットレスト３０が取り付けられている。当該フットレスト３０は、フロアパネル（図示せず）上に配置されたフロアカーペット２０の立上がり部２１に覆われている。なお、図１では、ダッシュパネル１０、フットレスト３０及びフロアカーペット２０の詳細な構造については、省略している。
【００２３】
ダッシュパネル１０は、車両室内とエンジンルームを隔てるための金属製のパネル部材である。詳細な説明は省略するが、ダッシュパネル１０の車両上部には、計器類等の機器が取り付けられており、ドライバが操作する機器のケーブル等が貫通している。
【００２４】
ダッシュパネル１０は、図２に示すように、車両上下方向に延びる主面部１１と、湾曲部１２と、底面部１３とを備えている。主面部１１の車両前側はエンジンルームとなる。主面部１１の上部には、上述したように、各種機器が取り付けられている。
【００２５】
湾曲部１２は、主面部１１の車両下部に配置され、主面部１１に一体に形成される部分である。当該湾曲部１２は、車両後方に向かうに従い、車両上下方向から車両前後方向に湾曲している。底面部１３は、湾曲部１２の車両後端から車両後方に延びる部分で、図示しないフロアパネルに接続されている。
【００２６】
フットレスト３０は、底面部１３の車両前部から湾曲部１２の車両前部にかけて取り付けられている。湾曲部１２には、フットレスト３０を取り付けるための突出部１５が設けられている。突出部１５は、湾曲部１２の上面から車両上方に突出している。この例では、図２に示すように、やや車両後方に斜め上方に突出している。
【００２７】
突出部１５の車両上部には、クリップ４１が挿入可能なクリップ挿入穴１５ａが形成されている。また、突出部１５の車両下部には、スタッドボルト（溶接ボルト）４２が挿入可能なボルト挿入穴１５ｂが形成されている。クリップ挿入穴１５ａと、ボルト挿入穴１５ｂの間には壁部１５ｃが設けられており、当該壁部１５ｃには、車両上下方向に貫通するように貫通孔１５ｄが形成されている。この貫通孔１５ｄには、ボルト挿入穴１５ｂに挿入されたスタッドボルト４２が挿入される。
【００２８】
続いて、フットレスト３０の形状について説明する。フットレスト３０は、ウレタンや発砲スチロール等の発泡材料からなり、車両前後方向に延びる部材である。
【００２９】
フットレスト３０の車両上部には、ドライバの足を載置するための載置面３１が形成されている。当該載置面３１は、フットレスト３０がダッシュパネル１０に取り付けられている状態で、車両前方に向かうに従って車両上方に向かうように傾斜している。フットレスト３０の車両下部には、湾曲部１２及び底面部１３に設置される設置面３２が形成されている。設置面３２は、フットレスト３０が設置される湾曲部１２や底面部１３の面形状に対応している。フットレスト３０の車幅方向両側は、互いに平行な外側面が形成されている。各外側面は、湾曲部１２や底面部１３に対して車両上方に立ち上がる面である。
【００３０】
フットレスト３０の車両下部の形状について説明する。設置面３２における車両前後方向の中間部には、設置面３２よりも車両上方に凹むように凹形状の段部３３が設けられている。段部３３は、車幅方向に貫通しており、凹形状の段部３３の底には、平坦な基準面３３ａが形成されている。当該基準面３３ａは、設置面３２よりも車両上方に形成され、フットレスト３０の車幅方向両側の外側面を繋ぐように車幅方向に延びている。フットレスト３０がダッシュパネル１０に取り付けられている状態で、設置面３２は下段となり、基準面３３ａは上段となる。
【００３１】
基準面３３ａの中央には、フットレスト１０の内部に向かって車両上方に凹む薄肉部（肉盗み部）３４が設けられている。薄肉部３４は、車両下方視で略正方形状の穴が形成されてなる。段部３３の車両前部及び車両後部における車両上下方向の肉厚に対して、薄肉部３４の車両上下方向の肉厚は薄くなる。ここで、薄肉部３４の車両上下方向の肉厚とは、基準面３３ａよりも車両上方に形成される薄肉部３４の底面３４ａと、載置面３１との間に形成される肉厚である。
【００３２】
同様に、段部３３の車両前部及び車両後部における車幅方向の肉厚に対して、薄肉部３４の車幅方向の肉厚は薄くなる。ここで、薄肉部３４の車幅方向の肉厚とは、薄肉部３４を形成する穴の車幅方向側壁面と、フットレスト３０の外側面の間に形成される肉厚である。車両前後方向の中間部に設けられた薄肉部３４の周辺の強度は、車両前部及び後部の強度よりも低く、当該薄肉部３４は他の部分に比べて変形しやすい。
【００３３】
薄肉部３４の車両前側の設置面３２には、フットレスト３０をダッシュパネル１０の突出部１５に取り付けるための取付部３７が設けられている。当該取付部３７には、車両上下方向視で四角形の車両上方に凹む凹部が形成され、凹部の底面３７ａには、車両上下方向に貫通する貫通孔３７ｂが形成されている。該貫通孔３７ｂにはダッシュパネル１０の突出部１５が挿入可能である。
【００３４】
取付部３７の貫通孔３７ｂに突出部１５が挿入されている状態で、クリップ４１を、フットレスト３０の取付部３７から、突出部１５のクリップ挿入穴１５ａに挿入する。一方、スタッドボルト４２を、フットレスト３０の車両下方（裏側）から、突出部１５に設けられた貫通孔１５ｄに貫通させて、上方から差し込まれたクリップ４１をスタッドボルト４２に嵌合させる。このとき、クリップ４１の頭部は、凹部の底面３７ａに引っ掛った状態となり、フットレスト３０がダッシュパネル１０に取り付けられた状態となる。
【００３５】
ここで、車両が衝突したときにダッシュパネル１０が変形し、フットレスト３０が破断する状態について説明する。車両前方から衝撃を受けると、図４に示すような力Ｆがダッシュパネル１０に作用する。当該衝撃によって、ダッシュパネル１０が車両後方に変形する。これにより、フットレスト３０には、車両前部からの力Ｆが作用する。この力Ｆにより、変形しやすい段部３３の薄肉部３４を境に破断し、車両前後に２つの破断片に分割される。
【００３６】
上記のように段部３３を設けていることにより、ダッシュパネル１０に固定されている状態のフットレスト３０の設置面３２における車両前後方向の中間部は、フロアパネル面（図示せず）から浮いた状態となり、フットレスト３０の設置面３２と、ダッシュパネル１０の車両室内側の面との間に空間（間隙）を生じさせることができる。上記のような衝突等により薄肉部３４で破断が発生すると、破断したフットレスト３０のうちの後側破断片３０ｂが車両下方に動く。すなわち、図４に示すように、後側破断片３０ｂの前端が、前側破断片３０ａの段部３３よりも車両下方に動く。その結果、破断部３９の車両前後に段差２２を生じさせることができる。この段差２２に靴４３の踵４３ａが引っかかって足が前に移動するのを防ぐことが可能となる。
【００３７】
上記のように取付部３７を設けているため、フットレスト３０が回転することなく姿勢を留めることができる。一方、段部３３よりも車両後部は、取付部３７がないため、段部３３を起点に車両前方に回転することができる。上記のように段部３３を境に破断したときの後側破断片３０ｂの車両前端が、前側破断片３０ａに対して車両下方に下がり、前側破断片３０ａ及び後側破断片３０ｂにおいて、前側破断片３０ａが確実に高くなるような段差２２を生じさせることができる。また、ドライバの踵４３ａが引っかかった時に、前側破断片３０ａによって足が動くことを確実に阻止でき、足が車両前側に移動するのを規制する効果を高めることができる。
【００３８】
本実施形態のフットレスト３０には、図２及び図３に示すように、溝３５、３６が設けられている。以下、溝３５、３６について説明する。薄肉部３４の車幅方向両側の基準面３３ａのそれぞれには、フットレスト３０の外側壁から薄肉部３４の内側壁にかけて車幅方向に延びる下溝３５が形成されている。両側の壁に形成された下溝３５のそれぞれの前後方向位置は、互いに同じ位置になるように形成されている。一方、載置面３１には、各下溝３５の車両前後方向位置に対応する位置に、上溝３６が形成されている。該上溝３６は、フットレスト３０の車幅方向両側の外側面を繋ぐように車幅方向に延びている。
【００３９】
下溝３５が形成されている部分は、下溝３５の周辺の薄肉部３４より強度が低くなる部分となる。よって、上記衝突が発生したときに、下溝３５を境に破断しやすくなる。すなわち、狙った部分で破断させることが可能となる。
【００４０】
上溝３６を形成することにより、上溝３６、下溝３５が形成されている部分は、溝３５、３６の周辺の薄肉部３４より強度が低くなる部分となる。よって、上記衝突が発生したときに、上溝３６を境に破断しやすくなる。ここで、上溝３６と下溝３５の車両前後方向位置を合わせることで、破断部３９において、上溝３６と下溝３５とを繋ぐ真っ直な破断面を形成させることが可能となる。このような破断面が形成されることで、踵４３ａがより引っ掛りやすくなり、足が前に移動するのを防ぐ効果が向上する。このとき、上溝３６と下溝３５が共に破断の起点となるような溝幅や溝深さを設定しておくことが望ましい。
【００４１】
また、上記構成の変形例として、発泡材料の発砲倍率を部分的に異なるように構成してもよい。例えば、段部３３よりも車両前部における発砲倍率と、段部３３よりも車両後部における発砲倍率とを、互いに異なるように形成してもよい。この場合、段部３３の車両後部における発砲倍率は、段部３３の車両前部における発砲倍率よりも高くなるように設定するとよい。
【００４２】
発砲倍率に上記のように設定することにより、段部３３の車両後側の材質の密度が低くなり、段部３３の後側のフットレスト３０が変形しやすくなる。これにより、破断の発生を確実に生じさせることができる。また、発泡倍率を段部３３の前後で変えることにより、硬度の異なる境界線での破断が生じやすくなる。また、靴４３の踵４３ａが沈み込みやすくなるため、踵４３ａがフットレスト３０の後方に止まりやすくなり、衝突により段差２２が発生した時に、踵４３ａを、当該段差２２よりも車両後方に確実に位置させ、足が車両前方に滑り出そうとするときに、踵４３ａが段差２２に引っ掛かりやすくすることができる。
【００４３】
また、発泡倍率の境界となる位置を、上溝３６及び下溝３５の車両前後方向位置としてもよい。すなわち、上溝３６及び下溝３５を含む車両上下方向に延びる面の前後で、発砲倍率が異なるように形成してもよい。上溝３６及び下溝３５による脆弱性と、発砲倍率が異なることによる破壊の促進の効果とで、相乗効果を得ることができる。また、破断の位置をコントロールしやすくなる。
【００４４】
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００４５】
例えば、本実施形態では、フットレスト３０をダッシュパネル１０に取り付けられているがこれに限らない。フロアパネルの車両前端とダッシュパネルの車両下端が連結している位置で、フロアパネルとダッシュパネルにわたって取り付けられてもよい。また、フロアパネルが車両前部で立ち上がっているような形状の場合には、フロアパネルの立ち上がり部にフットレストを取り付けてもよい。また、上記例では、下溝３５及び上溝３６を設けているが、これに限らず一方でもよい。また、変形例において、発砲倍率を車両前部よりも後部が高くなるように設定しているが、前部を高くなるように設定することも可能である。
【符号の説明】
【００４６】
１０    ダッシュパネル
１１    主面部
１２    湾曲部
１３    底面部
１５    突出部
１５ａ  クリップ挿入穴
１５ｂ  ボルト挿入穴
１５ｃ  壁部
１５ｄ  貫通孔
２０    フロアカーペット
２１    立上がり部
２２    段差
３０    フットレスト
３０ａ  前側破断片
３０ｂ  後側破断片
３１    載置面
３２    設置面
３３    段部
３３ａ  基準面
３４    薄肉部
３４ａ  底面
３５    下溝
３６    上溝
３７    取付部
３７ａ  底面
３７ｂ  貫通孔
４１    クリップ
４２    スタッドボルト
４３    靴
４３ａ  踵
【図１】
0006399302.tif 000002
【図２】
0006399302.tif 000003
【図３】
0006399302.tif 000004
【図４】
0006399302.tif 000005